(57)【要約】【課題】薬液の散布量を高精度に制御することで単位面積当たりの散布量を均一にする。【解決手段】予め入力された散布対象領域７１に対して薬液タンク２４に貯留されている薬液を散布する薬液散布用無人航空機において、散布対象領域７１に対して設定された飛行経路上を飛行するように制御する制御部５７と、飛行経路の飛行時における飛行速度を検出する飛行制御センサ群５５とを備え、飛行制御センサ群５５により検出された飛行速度に基づいて、薬液タンク２４に貯留されている薬液の散布量を制御する。【選択図】図３
2017206066.tif 000002
【特許請求の範囲】
【請求項１】
予め入力された散布対象領域に対して薬液タンクに貯留されている薬液を散布する薬液散布用無人航空機において、
上記散布対象領域に対して設定された飛行経路上を飛行するように制御する飛行制御手段と、
上記飛行経路の飛行時における飛行速度を検出する飛行速度検出手段と、
上記飛行速度検出手段により検出された飛行速度に基づいて、上記薬液タンクに貯留されている薬液の散布量を制御する散布制御手段とを備えること
を特徴とする薬液散布用無人航空機。
【請求項２】
上記飛行経路の飛行時における各位置情報をリアルタイムで取得する位置情報取得手段を更に備え、
上記飛行制御手段は、上記位置情報取得手段により取得された位置情報の上記散布対象領域との関係に基づいて飛行速度を制御すること
を特徴とする請求項１記載の薬液散布用無人航空機。
【請求項３】
予め入力された散布対象領域に対して薬液タンクに貯留されている薬液を散布する薬液散布用無人航空機において、
上記散布対象領域に対して設定された飛行経路上を飛行するように制御する飛行制御手段と、
上記飛行経路の飛行時における各位置情報をリアルタイムで取得する位置情報取得手段と、
上記薬液タンクに貯留されている薬液を複数の散布口を介して散布可能な散布制御手段とを備え、
上記位置情報取得手段により取得された位置情報の上記散布対象領域との関係に基づいて、上記複数の散布口のうち何れか1以上を閉口させること
を特徴とする薬液散布用無人航空機。
【請求項４】
予め入力された散布対象領域に対して薬液タンクに貯留されている薬液を散布する薬液散布用無人航空機において、
上記散布対象領域に対して設定された飛行経路上を飛行するように制御する飛行制御手段と、
上記飛行経路の飛行時における飛行高度を検出する飛行高度検出手段と、
上記飛行高度検出手段により検出された飛行高度に基づいて、上記薬液タンクに貯留されている薬液の散布量並びにその薬液の拡散角度の何れか１以上を制御する散布制御手段とを備えること
を特徴とする薬液散布用無人航空機。
【請求項５】
上記飛行経路の飛行時における各位置情報をリアルタイムで取得する位置情報取得手段を更に備え、
上記散布制御手段は、上記位置情報取得手段により取得された位置情報の上記散布対象領域との関係に基づいて、上記薬液タンクに貯留されている薬液の散布量並びにその薬液の拡散角度の何れか１以上を制御すること
を特徴とする請求項４記載の薬液散布用無人航空機。
【請求項６】
予め入力された散布対象領域に対して薬液タンクに貯留されている薬液を散布する薬液散布用無人航空機において、
上記散布対象領域に対して設定された飛行経路上を飛行するように制御する飛行制御手段と、
上記飛行経路の飛行時における風向及び風速をリアルタイムに検出する風検知手段と、
上記風検知手段により検知された風向及び風速に基づいて、上記薬液の散布方向を、上記飛行経路を飛行する過程で変化させる散布制御手段とを備えること
を特徴とする薬液散布用無人航空機。
【請求項７】
上記飛行経路の飛行時における各位置情報をリアルタイムで取得する位置情報取得手段を更に備え、
上記散布制御手段は、更に上記位置情報取得手段により取得された位置情報の上記散布対象領域との関係に基づいて上記薬液の散布方向を変化させること
を特徴とする請求項６記載の薬液散布用無人航空機。
【請求項８】
予め入力された散布対象領域に対して薬液タンクに貯留されている薬液を散布する薬液散布用無人航空機において、
上記散布対象領域に対して設定された飛行経路上を飛行するように制御する飛行制御手段と、
上記飛行経路の飛行時における風向及び風速をリアルタイムに検出する風検知手段とを備え、
上記飛行制御手段は、上記風検知手段により検知された風向及び風速に基づいて、上記飛行経路を切り替えること
を特徴とする薬液散布用無人航空機。
【請求項９】
上記風検知手段は、上記飛行経路上を飛行する時における機体の傾斜角度及び傾斜方向に基づいて上記風向及び上記風速を検知すること
を特徴とする請求項６〜８のうち何れか１項記載の薬液散布用無人航空機。
【発明の詳細な説明】
【技術分野】
【０００１】
本発明は、農薬等の薬液を空中散布する薬液散布用無人航空機に関し、特に薬液の散布量を高精度に制御することで単位面積当たりの散布量を均一にするとともに、所望の散布対象領域の外側に薬液が飛散するのを防止する上で好適な薬液散布用無人航空機に関する。
【背景技術】
【０００２】
従来より農薬等の薬液を無人ヘリコプターにより農作地へ空中散布することが行われている。このような無人ヘリコプターには、薬液を貯留する薬液タンクと、薬液タンク中の薬液を圧送するためのポンプと、ポンプにより圧送されてきた薬液を散布するノズルが実装されている。無人ヘリコプターは、散布対象領域となる農作地上に予め飛行経路を設定し、その飛行経路上を飛行しつつノズルから薬液を散布する。
【０００３】
従来の無人ヘリコプターは、風が強い場合において安定した飛行軌道が描けない場合が多く、所望の散布対象領域に対して薬液を効率よく散布することができない場合もある。これに加えて散布した薬液が風によって飛散してしまい、散布対象領域外まで飛んでしまう、いわゆるドリフトが生じてしまう場合もある。その結果、散布対象領域外にある他の作物に薬液が付着したり、車や建築構造物にも薬液が付着してしまい、トラブルの原因にもなっていた。
【０００４】
これに加えて、上述した無人ヘリコプターの不安定な飛行やドリフトが生じた場合には、散布対象領域内の農作地における単位面積当たりの散布量を均一に調整することができない。その結果、同じ散布対象領域内においても薬液の散布量にムラが生じてしまい、薬液の散布量が多くなった領域においてはいわゆる農薬焼けが発生し、却って農作物を枯らしてしまう原因にもなる。また薬液の散布量が少なくなった領域については、農作物の病気を防止することが必ずしもできず、また害虫を完全に死滅させることができず農作物の被害が後を絶たない。
【０００５】
特にこの農薬等の薬液は、少量でも効果が発揮されるように、農作物毎に成分が詳細に規定されているため、散布量にムラがある場合には、所期の効果を発揮させることができない。
【０００６】
従来において特許文献１には、無人ヘリコプターによる薬液の散布濃度を調整する技術は開示されている。この特許文献１の開示技術によれば、風向、風力の入力を受けて、風下側には所定の幅に亘り散布を行わない領域を設けるように設定を行う。これにより、散布対象領域外への薬液の不用意な散布を防止することができる。これに加えて無人ヘリコプターにおける飛行高度の調整が比較的容易であることを活かし、飛行高度を制御することで散布濃度を調整する技術も開示されている。
【先行技術文献】
【特許文献】
【０００７】
【特許文献１】特開２０１４−１１３８６４号公報
【発明の概要】
【発明が解決しようとする課題】
【０００８】
ところで上述した特許文献１の開示技術は、あくまで無人ヘリコプターの大型化や複雑化を招くことなく、散布対象領域における薬液散布濃度を調整することを目的とした技術である。このため、大型化や複雑化に繋がるような設計変更を無人ヘリコプター側に課すのではなく、無人ヘリコプターの飛行経路や飛行高度を最適化することに主眼を置いている。
【０００９】
しかしながら、この特許文献１の開示技術によれば、突発的に吹く風に対しするドリフトをリアルタイムに防止し、散布対象領域内の農作地における単位面積当たりの散布量を均一にするためのリアルタイムな調整を図ることについては特段開示されていない。特に散布対象領域におけるにおける地形や気象状況により、実際の現場にて無人ヘリコプターを飛行させた場合に、当初に綿密に設定した飛行経路や飛行高度から僅かに外れてしまうことは通常起こりえることである。このような現場での各種状況の変化に対して無人ヘリコプター側において柔軟に対応し、散布対象領域に対して薬液をムラなく散布し、ドリフトをも防止できる技術が従来より望まれていた。
【００１０】
そこで本発明は、上述した問題点に鑑みて案出されたものであり、その目的とするところは、薬液の散布量を高精度に制御することで単位面積当たりの散布量を均一にするとともに、所望の散布対象領域の外側に薬液が飛散するドリフトを防止することが可能な薬液散布用無人航空機を提供することにある。
【課題を解決するための手段】
【００１１】
第１発明に係る薬液散布用無人航空機は、予め入力された散布対象領域に対して薬液タンクに貯留されている薬液を散布する薬液散布用無人航空機において、上記散布対象領域に対して設定された飛行経路上を飛行するように制御する飛行制御手段と、上記飛行経路の飛行時における飛行速度を検出する飛行速度検出手段と、上記飛行速度検出手段により検出された飛行速度に基づいて、上記薬液タンクに貯留されている薬液の散布量を制御する散布制御手段とを備えることを特徴とする。
【００１２】
第２発明に係る薬液散布用無人航空機は、第１発明において、上記飛行経路の飛行時における各位置情報をリアルタイムで取得する位置情報取得手段を更に備え、上記飛行制御手段は、上記位置情報取得手段により取得された位置情報の上記散布対象領域との関係に基づいて飛行速度を制御することを特徴とする。
【００１３】
第３発明に係る薬液散布用無人航空機は、予め入力された散布対象領域に対して薬液タンクに貯留されている薬液を散布する薬液散布用無人航空機において、上記散布対象領域に対して設定された飛行経路上を飛行するように制御する飛行制御手段と、上記飛行経路の飛行時における各位置情報をリアルタイムで取得する位置情報取得手段と、上記薬液タンクに貯留されている薬液を複数の散布口を介して散布可能な散布制御手段とを備え、上記位置情報取得手段により取得された位置情報の上記散布対象領域との関係に基づいて、上記複数の散布口のうち何れか1以上を閉口させることを特徴とする。
【００１４】
第４発明に係る薬液散布用無人航空機は、予め入力された散布対象領域に対して薬液タンクに貯留されている薬液を散布する薬液散布用無人航空機において、上記散布対象領域に対して設定された飛行経路上を飛行するように制御する飛行制御手段と、上記飛行経路の飛行時における飛行高度を検出する飛行高度検出手段と、上記飛行高度検出手段により検出された飛行高度に基づいて、上記薬液タンクに貯留されている薬液の散布量並びにその薬液の拡散角度の何れか１以上を制御する散布制御手段とを備えることを特徴とする。
【００１５】
第５発明に係る薬液散布用無人航空機は、第４発明において、上記飛行経路の飛行時における各位置情報をリアルタイムで取得する位置情報取得手段を更に備え、上記散布制御手段は、上記位置情報取得手段により取得された位置情報の上記散布対象領域との関係に基づいて、上記薬液タンクに貯留されている薬液の散布量並びにその薬液の拡散角度の何れか１以上を制御することを特徴とする。
【００１６】
第６発明に係る薬液散布用無人航空機は、予め入力された散布対象領域に対して薬液タンクに貯留されている薬液を散布する薬液散布用無人航空機において、上記散布対象領域に対して設定された飛行経路上を飛行するように制御する飛行制御手段と、上記飛行経路の飛行時における風向及び風速をリアルタイムに検出する風検知手段と、上記風検知手段により検知された風向及び風速に基づいて、上記薬液の散布方向を、上記飛行経路を飛行する過程で変化させる散布制御手段とを備えることを特徴とする。
【００１７】
第７発明に係る薬液散布用無人航空機は、第６発明において、上記飛行経路の飛行時における各位置情報をリアルタイムで取得する位置情報取得手段を更に備え、上記散布制御手段は、更に上記位置情報取得手段により取得された位置情報の上記散布対象領域との関係に基づいて上記薬液の散布方向を変化させることを特徴とする。
【００１８】
第８発明に係る薬液散布用無人航空機は、予め入力された散布対象領域に対して薬液タンクに貯留されている薬液を散布する薬液散布用無人航空機において、上記散布対象領域に対して設定された飛行経路上を飛行するように制御する飛行制御手段と、上記飛行経路の飛行時における風向及び風速をリアルタイムに検出する風検知手段とを備え、上記飛行制御手段は、上記風検知手段により検知された風向及び風速に基づいて、上記飛行経路を切り替えることを特徴とする。
【００１９】
第９発明に係る薬液散布用無人航空機は、第６発明〜第８発明の何れかにおいて、上記風検知手段は、上記飛行経路上を飛行する時における機体の傾斜角度及び傾斜方向に基づいて上記風向及び上記風速を検知することを特徴とする。
【発明の効果】
【００２０】
上述した構成からなる本発明によれば、検出した飛行速度に基づいて薬液タンクに貯留されている薬液の散布量を制御する。これにより、散布対象領域内の農作地における単位面積当たりの薬液の散布量を均一に調整することができる。その結果、薬液の散布量にムラが生じるのを防止でき、薬液の散布量が多すぎることによる農薬焼けや、薬液の散布量が少なすぎることによる農作物の病気や害虫被害を防止することが可能となる。特に薬液散布用無人航空機の飛行速度を一定になるように設定しても、突発的な風や周辺環境の変化、或いは薬液散布用無人航空機の各構成要素に起因して、飛行速度が必ずしも一定にならず、僅かな範囲でブレてしまうことがある。かかる場合においても飛行速度の変化をリアルタイムに検知し、これに基づいて散布量を調整することで、結果としては薬液の散布量にムラが生じるのを防止できる。
【図面の簡単な説明】
【００２１】
【図１】本発明を適用した薬液散布用無人航空機並びにこれを操縦するための操縦端末の外観構成を示す図である。
【図２】薬液タンクからノズルに至るまでの流路構成を示す図である。
【図３】制御ユニットの詳細なブロック構成を示す図である。
【図４】取得した散布対象領域に対して飛行計画を策定した例を示す図である。
【図５】散布対象領域の端部について薬液を散布する際には、飛行速度をあえて遅くさせた例を示す図である。
【図６】一部のノズルのみから薬液を噴射させ、他の一部のノズルからは薬液の噴射を停止するように制御する例を示す図である。
【図７】各飛行高度における地面における薬液の散布範囲の関係を模式的に示す図である。
【図８】各ノズルからの薬液の散布角度に対する散布範囲の関係について説明するための図である。
【図９】散布対象領域の端部を飛行している旨を判別した場合には、ノズルからの薬液の拡散角度を調整する例を示す図である。
【図１０】薬液散布用無人航空機に対して風向Ｅの風が吹いた場合に薬液が流される例を示す図である。
【図１１】この薬液散布用無人航空機を真上から視認した状態を示す平面図である。
【図１２】薬液散布用無人航空機に対して風向Ｅの風が吹いた場合に散布方向を変更した例を示す図である。
【図１３】検知した風速、風向に基づいて飛行経路を制御する例を示す図である。
【図１４】散布対象領域における薬液散布用無人航空機の現在位置を参照しつつ飛行経路を制御する例を示す図である。
【図１５】機体の傾斜角度及び傾斜方向に基づいて風向及び風速を検知する例について説明するための図である。
【発明を実施するための形態】
【００２２】
以下、本発明を適用した薬液散布用無人航空機を実施するための形態について図面を参照しながら詳細に説明をする。
【００２３】
図１は、本発明を適用した薬液散布用無人航空機１並びにこれを操縦するための操縦端末２の外観構成を示している。
【００２４】
薬液散布用無人航空機１は、いわゆる小型でかつ無人飛行が可能なドローン（マルチコプター）や無人ヘリコプターであり、ローター１１と、ローター１１を駆動するローター用モーター１２と、先端にローター用モーター１２が取り付けられたモーターステイ１３と、モーターステイ１３の根本に取り付けられた据付器具２０と、据付器具２０を上下から挟持する第１中央プレート１６及び第２中央プレート１７と、この第２中央プレート１７上に設けられた制御ユニット１５と、第２中央プレート１７に対して上側に離間させて平行に設けられた第３中央プレート１８と、この第３中央プレート１８上に設けられたバッテリー１４とを備えている。
【００２５】
またこの薬液散布用無人航空機１は、第１中央プレート１６から下方に向けて延長する複数本の脚部２６と、この脚部２６の下端にそれぞれ設けられた２本のスキッド２８と、この２本のスキッド２８に架設されている載置用アーム２７と、載置用アーム上に載置されている薬液タンク２４と、脚部２６から外側に向けて延長された左右一対の右側ブーム２１並びに左側ブーム２２と、右側ブーム２１に設けられたノズル２３ａ〜２３ｃと、左側ブーム２２に設けられたノズル２３ｄ〜２３ｆとを備えている。
【００２６】
ローター１１は、ローター用モーター１２の回転に基づき回転するとともに、薬液散布用無人航空機１に対して浮力を与えることができるものである。本実施の形態においては、４基のローター１１を有するクアッドコプターを例にとり説明をするが、これに限定されるものではなく、要求される飛行性能や、故障に対する信頼性、許容されるコスト等に応じて、ローター１１を１基で構成したヘリコプター、ローター１１を３基で構成したトリコプター、ローター１１を６基で構成したヘキサコプター、ローター１１を８基で構成したオクトコプターとして具現化されるものであってもよい。
【００２７】
ローター用モーター１２は、ローター１１それぞれに対して設けられており、バッテリー１４からモーターステイ１３を介して供給されてくる電力に基づいて回転動作可能とされている。ローター用モーター１２は、上記の機能を有する限りにおいて限定されず、いかなる市販のものを適用することができる。ローター用モーター１２を回転させることによりローター１１を回転させることができ、薬液散布用無人航空機１を即座に垂直方向に向けて上昇させ又は下降させることができ、或いはその場で静止させることも可能となる。また、薬液散布用無人航空機１を前後左右に移動させる場合は、進行方向のローター用モーター１２の回転数を下げ、進行方向とは反対側のローター用モーター１２の回転数を上げる。これにより、薬液散布用無人航空機１は進行方向に対して前かがみの姿勢となり、進行方向に移動することが可能となる。また、ローター用モーター１２の回転方向による出力の調整を行うことで、薬液散布用無人航空機１自体を回転させることも可能となる。これらローター用モーター１２の回転数の制御は、制御ユニット１５を介して行われる。
【００２８】
モーターステイ１３は、第１中央プレート１６及び第２中央プレート１７から互いに異なる方向に向けて延長されている。特に４基のローター１１を有するクアッドコプターで構成する場合、これらをそれぞれ支持するモーターステイ１３は、平面視で互いに約９０°間隔となるように延長されている。このモーターステイ１３は、例えば金属製又は樹脂製、カーボン製、又はその他の材料からなる管体で構成されていてもよい。かかる場合には、このモーターステイ１３の管体内にバッテリー１４からの電力供給のためのケーブルを挿通させることができる。
【００２９】
第１中央プレート１６及び第２中央プレート１７は、互いに金属製又は樹脂製等の板状体で構成されている。この第１中央プレート１６及び第２中央プレート１７は、挟持させる据付器具２０を介して互いに略平行となるように設けられる。第１中央プレート１６には脚部２６を取り付ける上で必要な図示しないネジ孔等が予め設けられている。第２中央プレート１７についても同様に制御ユニット１５を取り付ける上で必要なネジ孔が予め設けられている。
【００３０】
制御ユニット１５は、各種制御に必要な集積回路やデバイスを収容するための筐体で構成されている。この制御ユニット１５は、第２中央プレート１７上に設けられたネジ孔にネジを介して固定される。この制御ユニット１５のブロック構成の詳細は後述する。
【００３１】
第３中央プレート１８は、金属製又は樹脂製等の板状体で構成されている。第３中央プレート１８は、第２中央プレート１７の表面に立設された長ネジ１８ａを介して固定されることで、当該第２中央プレート１７に対して離間させつつ平行となるように設けられる。
【００３２】
バッテリー１４は、制御ユニット１５やローター用モーター１２を駆動させるために必要な電力を供給するための電池である。またバッテリー１４は、ノズル２３を制御する上で必要な電力も供給する。このバッテリー１４は、着脱自在に構成され、充電が可能な仕様とされていてもよい。
【００３３】
脚部２６の下端に設けられているスキッド２８は、薬液散布用無人航空機１が地面に着陸した場合において接地させるために設けられている。同様にスキッド２８間に設けられる載置用アーム２７も薬液散布用無人航空機１が地面に着陸した場合において接地させる役割を担うが、これに加えて薬液タンク２４を下側から支持する役割をも担う。
【００３４】
右側ブーム２１及び左側ブーム２２は、脚部２６に対して回動装置２９ａ、回動装置２９ｂを介して設けられていてもよい。これにより右側ブーム２１及び左側ブーム２２は、この回動装置２９ａ、回動装置２９ｂにより図中Ａ方向に向けて回動自在に構成されている。例えば薬液散布用無人航空機１を倉庫等に収納する場合において、取り外せるだけでなく、この回動装置２９ａ、２９ｂを介して右側ブーム２１及び左側ブーム２２を上方に向けて回動させて折り畳むことも可能となる。またこの回動装置２９ａ、２９ｂを介して右側ブーム２１及び左側ブーム２２をＡ方向に向けて自由に回動させることにより、ノズル２３からの薬液の散布方向を調整することが可能となる。なお、右側ブーム２１及び左側ブーム２２は、脚部２６の下端よりも若干上方に設けられていることにより、薬液散布用無人航空機１の着陸時においてスキッド２８を介して接地させた場合において、ノズル２３が地面に接触するのを防止することができる。なお、この右側ブーム２１及び左側ブーム２２は、回動装置２９ａ、２９ｂを介して手動で回動させるようにしてもよいし、回動装置２９ａ、２９ｂ自体が制御ユニット１４からの電気信号を介して自動的に回動されるものであってもよい。
【００３５】
なお、着陸時には、薬液散布用無人航空機１の機体が水平のまま着地するが、操作ミスや着地時の横風がある場合機体が傾くことがあり得る。こうした場合に備え、右側ブーム２１及び左側ブーム２２を上部へ折りたたむことで、着地時にブームが地面に接触することを回避するようにしてもよい。
【００３６】
薬液タンク２４は、薬液を貯留するためのタンクであり、その材質は樹脂、金属等の材料で構成されている。この薬液タンク２４は、開閉自在に設けられた蓋２４ａを有し、薬液を注入する場合には蓋２４ａを開け、実際に薬液を散布する場合には、これが漏れないように蓋２４ａを強固に閉蓋することとなる。なお、薬液タンク２４は簡便な操作で薬液散布用無人航空機１からとりはずすことができるようにしてもよい。かかる場合において、事前に複数の薬液タンク２４を用意し、薬液を充填しておくことで、複数回の散布を効率的に行うことができる。
【００３７】
この薬液タンク２４に貯留される薬液は、農作地に散布するための農薬を想定しているが、これに限定されるものではなく、例えば液体肥料や塗料、その他いかなる液体も含まれる。薬液タンク２４の内部からには、ホース３２が伸びており、各ホース３２は、右側ブーム２１に設けられた各ノズル２３ａ〜２３ｃと、左側ブーム２２に設けられた各ノズル２３ｄ〜２３ｆに連続する。なお、薬液タンク２４は、載置用アーム２７上へ載置される場合に限定されるものではなく、第一中央プレート１６および据付器具２０から構成される構造から吊り下げるようにしてもよいし、或いは複数の脚部２６等から吊り下げる形としてもよい。
【００３８】
図２は、薬液タンク２４からノズル２３に至るまでの流路構成を示している。薬液タンク２４から排出される薬液は、２つの薬液パイプ３６ａ、３６ｂに分岐して流れる。そして薬液パイプ３６ａは、薬液ポンプ３５ａへ到達し、薬液パイプ３６ｂは、薬液ポンプ３５ｂへ到達する。薬液ポンプ３５ａからホース３２が連続して各ノズル２３ａ〜２３ｃへと連続することとなる。また薬液ポンプ３５ｂからホース３２が連続して各ノズル２３ｄ〜２３ｆへと連続することとなる。
【００３９】
ここで薬液ポンプ３５ａ、３５ｂは、モーターを動力源としてピストンが往復動することにより薬液を薬液パイプ３６ａ、３６ｂから吸い込み、ホース３２ひいては各ノズル２３ａ〜２３ｃ、２３ｄ〜２３ｆへ吐出する構造のものである。ちなみに薬液ポンプ３５ａ、３５ｂは、制御ユニット１５を介して独立に制御可能とされている。例えば薬液ポンプ３５ａについては制御ユニット１５から動作命令が送信され、薬液ポンプ３５ｂについては制御ユニット１５から動作命令が送信されなかった場合には、薬液ポンプ３５ａにつながるノズル２３ａ〜２３ｃのみから薬液が噴射される一方、薬液ポンプ３５ｂにつながるノズル２３ｄ〜２３ｆから薬液の噴射を停止するように制御することができる。なお、上述した例では２つの薬液ポンプ３５ａ、３５ｂで構成する場合を例にとり説明をしたが、これに限定されるものではなく、特に比較的小容量の散布の場合等は、薬液ポンプ３５を一つのみで構成するようにしてもよい。また大容量の薬液の散布時には、この薬液ポンプ３５を３つ以上で構成してもよい。
【００４０】
また薬液ポンプ３５の吐出力を制御することにより、ノズル２３からの薬液の散布量を制御することもできる。即ち、薬液ポンプ３５からの薬液の吐出力を弱くすることでノズル２３からの薬液の散布量を低くすることができ、薬液ポンプ３５からの薬液の吐出力を強くすることでノズル２３からの薬液の散布量を増加させることができる。しかも薬液ポンプ３５ａ、３５ｂ間で別々にこの吐出力を制御することができるため、ノズル２３ａ〜２３ｃと、ノズル２３ｄ〜２３ｆとにつき、互いに独立して散布量を制御することが可能となる。なお、２台の薬液ポンプ３５ａ、３５ｂを用いる場合において、各ノズル２３の流量制御装置を省くようにしてもよい。かかる場合には、単純に右側ブーム２１及び左側ブーム２２毎の吐出量を変える仕組みとする。この構成は機体の左右毎に吐出量を制御するのみだが、各ノズル２３の構造を簡略化し、コストを下げることができる。
【００４１】
ノズル２３は、上述した右側ブーム２１又は左側ブーム２２により支持されてなり、接続されたホース３２を介して薬液が送られてくる。本実施の形態においては、ノズル２３は、２３ａ〜２３ｆの６個に亘り配置される場合を例にとり説明をするがこれに限定されるものではなく、いかなる数に亘り配置されていてもよい。
【００４２】
このノズル２３は、送られてきた薬液を所定の拡散角度で噴霧する。この薬液の拡散角度と、散布方向の何れか１以上が制御可能とされていてもよい。薬液の拡散角度を変化させる場合には、例えば、拡散角度可変の市販のスプレーノズルを用いるようにしてもよい。また散布方向を変化させる場合には、市販の噴霧方向自在ノズルを用いてもよい。これらの薬液の拡散角度又は散布方向は手動で変更するようにしてもよいが、制御ユニット１５による制御の下、電気的な信号に基づいて変更するようにしてもよい。かかる場合には、ノズル２３にサーボモーターを組み合わせることにより、電気的な信号に基づいてノズル２３の拡散角度や散布方向を自動的に調整することが可能となる。
【００４３】
次に制御ユニット１５の詳細な構成について説明をする。制御ユニット１５は、図３に示すようにフライトコントローラ５０を中心とし、これに対してそれぞれ接続されている無線通信部５１、電動ジンバル５２、カメラ５３、ＥＳＣ（Electronic Speed Controller）５４とを備えている。なお、この電動ジンバル５２、カメラ５３の構成は必須ではなく、省略するようにしてもよい。
【００４４】
無線通信部５１は、操縦端末２との間で無線通信を行う上で必要な周波数変換やその他各種変換処理を行い、電気信号を電波に変換し、或いは電波を電気信号に変換するアンテナも含まれる。この無線通信部５１は、操縦端末２から送信されてきた電波に重畳されてきた操縦情報を電気信号に変換した上でフライトコントローラ５０へ出力する。その結果、操縦端末２からの操縦情報に基づいたフライトコントローラ５０の制御が実現されることとなる。またこの無線通信部５１は、フライトコントローラ５０から送られてきたデータを電波に変換して操縦端末２に送信する。なお、可能であれば、これらデータをインターネット網等を始めとした公衆通信網へ送信するようにしてもよい。なお、この無線通信部５１は、公衆通信網から各種情報を無線通信を通じて取得し、これをフライトコントローラ５０へ送信するようにしてもよい。
【００４５】
フライトコントローラ５０は、制御部５７と、この制御部５７に接続されている飛行制御センサ群５５及びＧＮＳＳ（Global Navigation Satelite System）受信部５６とを備えている。
【００４６】
制御部５７は、ＣＰＵ（Central Processing Unit）１１１と、このＣＰＵ１１１に対してそれぞれ接続されているメモリ１１２、ＰＷＭコントローラ１１３とを有している。この制御部５７は、薬液ポンプ３５、ノズル２３に接続されている。
【００４７】
メモリ１１２は、ＲＯＭ（Read Only Memory）やＲＡＭ(Random Access Memory)として具現化される記憶手段である。ＲＯＭは、制御ユニット１５全体のハードウェア資源を制御するためのプログラムが格納されている。またＲＡＭは、データの蓄積や展開等に使用する作業領域として使用され、制御ユニット１５全体のハードウェア資源を制御するときの各種命令を一時的に記憶する。
【００４８】
ＣＰＵ１１１は、全ての構成要素を制御するためのいわゆる中央演算ユニットである。このＣＰＵ１１１は、メモリ１１２に記憶されているプログラムを読み出して各種動作を行うための命令を各構成要素に対して通知する。例えばメモリ１１２に記憶されているプログラムが薬液散布用無人航空機１の飛行経路の決定方法や飛行方法に関するものであれば、これに基づいて飛行するための各種命令を静止して各構成要素に送信する。また、メモリ１１２に記憶されているプログラムが薬液散布用無人航空機１による薬液の散布方法に関するものであれば、これに基づいて薬液を散布するための各種命令を生成して各構成要素に送信する。
【００４９】
またＣＰＵ１１１は、無線通信部５１から送られてきた操縦情報やその他の情報に基づいて各種命令を生成して各構成要素に送信する。またＣＰＵ１１１は、飛行制御センサ群５５から送られてきたデータやＧＮＳＳ受信部５６から送られてきた薬液散布用無人航空機１の現在位置情報に基づいて各構成要素を制御する。さらにＣＰＵ１１１は、接続された薬液ポンプ３５、ノズル２３を制御するための電気的な信号を生成し、送信する。ＣＰＵ１１１は、電動ジンバル５２、カメラ５３をそれぞれ制御するとともに、ＰＷＭコントローラ１１３に対しても必要な命令を送信する。
【００５０】
ＰＷＭコントローラ１１３は、ＣＰＵ１１１による制御の下、ＥＳＣ５４を介してローター用モーター１２の回転数、回転速度等を制御する。
【００５１】
飛行制御センサ群５５は、少なくとも加速度センサ、角速度センサ、気圧センサ（高度センサ）、地磁気センサ（方位センサ）に加え、飛行高度を検出するための高度計、風速や風向を検出するための風向風速計、機体の傾斜角度や傾斜方向を検出するための加速度センサ、ジャイロセンサ等を始めとした各種センサで構成されている。ちなみに飛行制御センサ群５５は、これらのセンサが全て実装されている場合に限定されるものではない。例えば加速度センサ、角速度センサから薬液散布用無人航空機１の飛行速度を検知することができる。またジャイロセンサや加速度センサ、角速度センサから薬液散布用無人航空機１の傾き方向や傾き角度を検知することができる。また風向風速計から薬液散布用無人航空機１の飛行時においてその場において吹く風の風向、風速をリアルタイムに検知することが可能となる。高度計から薬液散布用無人航空機１の飛行高度をリアルタイムに検知することが可能となる。飛行制御センサ群５５は、検知した各データを制御部５７へ送信する。
【００５２】
ＧＮＳＳ受信部５６は、人工衛星から送られてくる衛星測位信号に基づいて薬液散布用無人航空機１の飛行時における現時点の位置情報をリアルタイムに取得する。ＧＮＳＳ受信部５６は、取得した位置情報を制御部５７へ送信する。
【００５３】
電動ジンバル５２は、カメラ５３が載置される回転台である。この電動ジンバル５２は、制御部５７におけるＣＰＵ１１１による制御の下で回転自在に構成されている。この電動ジンバル５２を回転させることによりカメラ５３の撮影方向を変化させることができる。電動ジンバル５２は、薬液散布用無人航空機１からの揺動がカメラ５３に伝達しないようにするための振動吸収機構が設けられていてもよい。
【００５４】
カメラ５３は、電動ジンバル５２の回転に基づいて定められた撮影方向の被写体を撮像する。カメラ５３の撮像タイミングは、ＣＰＵ１１１により制御されることとなる。カメラ５３は撮影した画像を制御部５７へ送信する。この制御部５７へ送信された画像は、ＣＰＵ１１１による制御の下でメモリ１１２に記憶される他、必要に応じて無線通信部５１を介して公衆通信網へと送られる場合もある。
【００５５】
なお上述した構成要素のうち、フライトコントローラ５０、電動ジンバル５２、カメラ５３、ＥＳＣ５４は何れもバッテリー１４に接続されており、電力が供給される。
【００５６】
操縦端末２は、例えばＰＣ（パーソナルコンピューター）、携帯端末、スマートフォン、タブレット型端末、ウェアラブル端末等の無線通信可能な端末装置で構成されているが、これに限定されるものではなく、専用のコントローラーにより具現化されるものであってもよい。操縦端末２は、ユーザが実際に所望の操作を行うためのユーザＩ／Ｆ６と、このユーザＩ／Ｆ６に接続された無線通信部７とを備えている。
【００５７】
ユーザＩ／Ｆ６は、薬液散布用無人航空機１を操縦するための操縦情報を入力するためのタッチパネル、ボタン、レバー等で構成されている。またこのユーザＩ／Ｆ６は、ユーザに対して各種情報を表示するための液晶パネル等も含まれる。ユーザＩ／Ｆ６は、入力された操縦情報を無線通信部７へ送信する。またユーザＩ／Ｆ６は、無線通信部７が受信した各種情報が送信された場合には、必要に応じてこれを液晶パネル等を介してユーザに表示する。
【００５８】
無線通信部７は、薬液散布用無人航空機１との間で無線通信を行う上で必要な周波数変換やその他各種変換処理を行い、電気信号を電波に変換し、或いは電波を電気信号に変換するアンテナも含まれる。この無線通信部７は、薬液散布用無人航空機１から送信されてきた情報や、公衆通信網から送られてきた情報をユーザＩ／Ｆ６へ出力する。また無線通信部７はユーザＩ／Ｆ６から送られてきた操縦情報を電波に変換し、薬液散布用無人航空機１へ送信する。
【００５９】
次に上述した構成からなる薬液散布用無人航空機１の動作について説明をする。
【００６０】
先ず薬液散布用無人航空機１は、薬液を散布するための散布対象領域の入力を受け付ける。この散布対象領域は、薬液としての農薬を実施に散布する農作地の地図情報等である。このユーザ自身がこの散布対象領域を入力する場合には、操縦端末２におけるユーザＩ／Ｆ６を介して入力操作を行う。この入力された散布対象領域は、無線通信部７を介して薬液散布用無人航空機１における無線通信部５１に送信される。フライトコントローラ５０における制御部５７は、この散布対象領域を取得し、必要に応じてこれをメモリ１１２に格納する。
【００６１】
次にＣＰＵ１１１は、この散布対象領域に基づく地図情報に対して、実際に飛行計画を策定する。この飛行計画の策定については、メモリ１１２に記憶された飛行計画策定プログラムを読み出して実行する。なお、飛行計画の策定は、メモリ１１２からの読み出しに基づく場合に限定されるものではなく、ユーザＩ／Ｆ６からの入力情報に基づくものであってもよい。かかる場合には、ユーザＩ／Ｆ６から飛行計画に関する入力情報を受け付ける都度、この薬液散布用無人航空機１の制御部５７へ送信するようにしてもよい。
【００６２】
図４は、飛行計画の策定例を示している。ＣＰＵ１１１は、取得した散布対象領域７１に対して、斜線で示される実際の散布範囲で殆ど埋めることができるような飛行計画を策定する。例えば薬液散布用無人航空機１におけるノズル２３から散布される散布領域の幅ｗは既知であることから、この幅ｗの散布範囲で散布対象領域７１を埋めることができる様々な飛行経路の候補を挙げることができる。この中でも例えば図４の点線で示すような飛行経路のようにジグザグ状に進んでいくことでこれを中心とした幅ｗの散布範囲により散布対象領域７１をカバーすることができる。なお、この飛行計画においては、図４に示すように散布対象領域７１の上端又は下端をオーバランした上でＵターンして再び散布対象領域７１に戻るような経路を設定するようにしてもよい。これにより、散布対象領域７１内を隙間無く散布範囲で埋めることができる。ちなみに、このオーバーランした散布対象領域７１外の飛行時には、薬液の散布を一時的に停止するようにしてもよい。
【００６３】
また、これ以外に散布対象領域７１のほぼ上端又は下端まで到達した場合に特にオーバーランすることなく飛行経路をこの上端、下端の境界に沿って飛行することでＵターンするようにしてもよい。
【００６４】
ＣＰＵ１１１は、このような飛行経路を設定した後、これに基づいて薬液散布用無人航空機１を飛行させるための制御をＰＷＭコントローラ１１３に対して行う。ＰＷＭコントローラ１１３は、このＣＰＵ１１１による制御の下でＥＳＣ５４を介してローター用モーター１２の回転数、回転速度、回転方向等を制御することにより、図４に示す飛行経路上を飛行させる。
【００６５】
また、この飛行経路上を飛行させる過程において制御部５７は、薬液ポンプ３５に対して動作命令を送信し、ポンプによる薬液の吐出を行わせる。その結果、薬液タンク２４に貯留されている薬液は、薬液ポンプ３５によりノズル２３ａ〜２３ｆまで送られる。そしてこのノズル２３ａ〜２３ｆに送られた薬液は、散布範囲において散布されることとなる。
【００６６】
この薬液の散布の過程で薬液散布用無人航空機１は、飛行経路上を連続して飛行することとなる。これにより、図４に示すように、飛行経路に沿った散布範囲につき薬液を散布することができる。そして、飛行経路の終着点まで飛行することにより、散布対象領域７１の大半につき薬液を散布することが可能となる。
【００６７】
本発明においては、この飛行経路を飛行する過程において飛行制御センサ群５５における加速度センサ、角速度センサ等を介して薬液散布用無人航空機１の飛行速度を検出するようにしてもよい。検出した飛行速度は、制御部５７へ送られ、この制御部５７は、この飛行速度に基づいて薬液ポンプの吐出力を制御することによりノズル２３からの薬液の散布量を制御する。
【００６８】
ここで薬液散布用無人航空機１の飛行速度が２０ｋｍ／時で、散布量を１ｌ／秒とすることで、散布対象領域７１における単位面積当たりの散布量が適正なものになると仮定する。飛行開始時においてこのような飛行速度、散布量になるように設定をし、例えばＰ地点において飛行制御センサ群５５を介して飛行速度を検出したところ、飛行速度は当初と同様に飛行速度が２０ｋｍ／時であった場合には、特段散布量を変更するための制御は行わない。次にＱ地点において測定した飛行速度が２５ｋｍ／時であった場合には、飛行速度が上がっているためその分において単位面積当たりの散布量が低くなってしまう。このため、かかる飛行速度を検知した制御部５７は、散布量を１ｌ／秒よりも多くなるように薬液ポンプ３５を制御する。次にＲ地点において測定した飛行速度が１５ｋｍ／時であった場合には、飛行速度が遅くなっているためその分において単位面積当たりの散布量が高くなってしまう。このため、かかる飛行速度を検知した制御部５７は、散布量を１ｌ／秒よりも低くなるように薬液ポンプ３５を制御する。
【００６９】
このようにして本発明では、検出した飛行速度に基づいて薬液タンク１４に貯留されている薬液の散布量を制御する。これにより、散布対象領域７１内の農作地における単位面積当たりの薬液の散布量を均一に調整することができる。その結果、薬液の散布量にムラが生じるのを防止でき、薬液の散布量が多すぎることによる農薬焼けや、薬液の散布量が少なすぎることによる農作物の病気や害虫被害を防止することが可能となる。
【００７０】
特に薬液散布用無人航空機１の飛行速度を一定になるように設定しても、突発的な風や周辺環境の変化、或いは薬液散布用無人航空機１の各構成要素に起因して、飛行速度が必ずしも一定にならず、僅かな範囲でブレてしまうことがある。かかる場合においても飛行速度の変化をリアルタイムに検知し、これに基づいて散布量を調整することで、結果としては薬液の散布量にムラが生じるのを防止できる。
【００７１】
なお、上述した実施の形態においては、Ｐ地点〜Ｒ地点の３箇所に亘り飛行速度を検知する場合を例にとり説明をしたが、これに限定されるものではなく、更に短いピッチで飛行速度を検出するようにしてもよい。かかる場合には、例えば毎秒に亘り飛行速度を検知し、散布量の制御もこれに応じて毎秒行うようにしてもよい。
【００７２】
なお、図５に示すような散布対象領域７１の端部７２について薬液を散布する際には、飛行速度をあえて遅くさせると有効な場合がある。このように散布対象領域７１内における位置に応じて飛行速度を速める場合もあれば遅くする場合もある。かかる場合には、散布対象領域７１内における現時点の位置情報をＧＮＳＳ受信部５６を介してリアルタイムに受信し、制御部５７は、その受信した位置情報の散布対象領域７１との関係に基づいて飛行速度を制御するようにしてもよい。散布対象領域７１は、地図情報として予め取得していることから、これに対して受信した位置情報を重ね合わせることにより、薬液散布用無人航空機１が現時点において散布対象領域７１上のどの位置を飛行しているかをリアルタイムに検知することが可能となる。制御部５７は、係る情報に基づいて飛行速度を制御することとなる。
【００７３】
また、薬液散布用無人航空機１が現時点において散布対象領域７１上のどの位置を飛行しているかをリアルタイムに検知した結果を利用し、散布量を直接制御するようにしてもよいし、散布範囲を制御するようにしてもよい。散布量の制御方法は上述したとおりであるが、散布範囲を制御する際には、例えば図６に示すようにノズル２３ｄ〜２３ｆのみから薬液を噴射させ、ノズル２３ａ〜２３ｃからは薬液の噴射を停止するように制御する。これらの制御は、上述したように制御ユニット１５から薬液ポンプ３５ａ、３５ｂに動作命令を発信することで実現する。制御ユニット１５は、散布対象領域７１上のどの位置を飛行しているかをリアルタイムに検知しているため、ちょうど散布対象領域７１の端部を飛行している旨を判別した場合には、散布対象領域７１上に位置するノズル２３ｄ〜２３ｆのみから薬液を噴射させることで農作物に薬液を散布させることができる。また散布対象領域７１から外れるノズル２３ａ〜２３ｃからは薬液の噴射を停止することで、散布対象領域７１外に薬液が散布されることによる被害を防止できる。
【００７４】
また、本発明によれば、検出した飛行高度に基づいて薬液の散布量を制御するようにしてもよい。かかる場合には、飛行制御センサ群５５における高度計等を介して薬液散布用無人航空機１の飛行高度を検出するようにしてもよい。検出した飛行高度は、制御部５７へ送られ、この制御部５７は、この飛行高度に基づいて薬液ポンプの吐出力を制御することによりノズル２３からの薬液の散布量をリアルタイムに制御する。
【００７５】
図７は、各飛行高度Ｖ〜Ｗにおける地面における薬液の散布範囲の関係を模式的に示している。薬液散布用無人航空機１が飛行高度Ｗである場合に、薬液の散布範囲が重なることなく、薬液が散布されていない非散布領域が形成されることなく、単位面積当たりの散布濃度をほぼ均一にすることができる。これに対して、飛行高度Ｖである場合には、飛行高度が低すぎてしまい、薬液の散布範囲が広がる前に地面に到達してしまう。その結果、散布対象領域７１において非散布領域が形成されてしまう。一方、飛行高度Ｚである場合には、飛行高度が高すぎてしまい、隣接するノズル２３から散布された薬液の散布範囲が重なってしまう。
【００７６】
即ち、飛行高度Ｖ、Ｚでは、地面に対する薬液散布用無人航空機１が飛行高度が適切な高さとされていないため、単位面積当たりの薬液散布量にムラが生じてしまう。このため、本発明では、薬液散布用無人航空機１の飛行高度を測定し、これが飛行高度Ｗの如く適切な高さであれば、特段新たな制御を行う必要は無い。これに対して飛行高度がＶであれば図８（ａ）に示すように各ノズル２３からの薬液の散布角度を広くするように制御する。具体的には、制御部５７は、飛行制御センサ群５５から検知した飛行高度が飛行高度Ｖであることを判別し、これに基づいてノズル２３に対して電気信号を送ることにより拡散角度を拡げるように制御する。その結果、ノズル２３から出射された薬液はより拡がるようにして地面に散布される結果、非散布領域をより狭くすることが可能となる。これに対して飛行高度がＺであれば図８（ｂ）に示すように各ノズル２３からの薬液の散布角度を狭くするように制御する。具体的には、制御部５７は、飛行制御センサ群５５から検知した飛行高度が飛行高度Ｚであることを判別し、これに基づいてノズル２３に対して電気信号を送ることにより拡散角度を狭めるように制御する。その結果、ノズル２３から出射された薬液はより狭められて地面に散布される結果、散布範囲の重なりをより狭くすることが可能となる。
【００７７】
ちなみに、制御部５７は、飛行高度を判別した場合において、上述したノズル２３からの散布角度の調整以外に、散布量を調整するようにしてもよい。例えば高度が低い飛行高度Ｖの場合には、散布量を多くすることで非散布領域にも薬液が行き渡るようにし、高度が高い飛行高度Ｚの場合には、散布量を少なくすることで散布範囲の重なり部分において散布濃度が極端に高くなるのを防止することが可能となる。なお、本発明において、散布角度及び散布量の何れか１以上を調整するものであればよい。
【００７８】
また制御ユニット１５は、散布対象領域７１上のどの位置を飛行しているかをＧＮＳＳ受信部５６を介してリアルタイムに検知しているため、図９に示すように散布対象領域７１の端部を飛行している旨を判別した場合には、ノズル２３からの薬液の拡散角度を調整するようにしてもよい。このとき、ノズル２３からの薬液の拡散角度を広く設定した場合に散布対象領域７１外に薬液が散布されてしまう場合には、その薬液の拡散角度を狭くするようにしてもよい。また、薬液の拡散角度を広くすることで散布対象領域７１の残部を含めて全て散布範囲で埋めることができる場合には、ノズル２３からの拡散角度を広く設定するようにしてもよい。このとき、拡散角度のみならず、散布角度及び散布量の何れか１以上を制御するようにしてもよい。
【００７９】
また、本発明によれば、検出した風向、風速の何れか１以上に基づいて薬液方向を変化させるようにしてもよい。かかる場合には、飛行制御センサ群５５における風向風速計等を介して薬液散布用無人航空機１の風向や風速を検出するようにしてもよい。検出した風向、風速は、制御部５７へ送られ、この制御部５７は、この風向、風速に基づいてノズル２３の散布方向をリアルタイムに制御する。
【００８０】
例えば図１０に示すように薬液散布用無人航空機１に対して風向Ｅの風が吹いた場合、ノズル２３から出射した薬液は風向Ｅの方向に向けて流されることとなる。その結果、各飛行高度Ｖ〜Ｘの地面に着地する薬液の散布範囲は風向Ｅに向けて大きく偏ることとなる。図１１は、この薬液散布用無人航空機１を真上から視認した状態を示す平面図である。ノズル２３から放たれている薬液を示す図中実線は、散布直後の薬液の拡がりを示しており、図中点線は、飛行高度Ｗの地面に接する直前の薬液の拡がりを示している。薬液の散布範囲は、風向に応じて意図している範囲から大きく逸脱することが示されている。
【００８１】
このため、本発明によれば、飛行制御センサ群５５における風向風速計等により風向や風速を検出し、制御部５７は、この検出した風向や風速に基づいてノズル２３に対して電気信号を送ることにより散布方向を変化させるように制御する。
【００８２】
図１２の例は、薬液の散布方向を風向Ｅと反対方向のＦ方向に変化させた例を示している。薬液の散布方向をＦ方向に傾けることで風向Ｅによる影響を受けた場合においても結局は相殺されて意図している散布範囲から大きく逸脱することを防止できる。実際にＦ方向に向けてどの程度ノズル２３を傾けるかは、検出した風速に基づいて決定するようにしてもよい。即ち、風向Ｅの風速が大きい場合には、これに強固に対抗するためにノズル２３のＦ方向への傾き角度ｋを大きくする。これに対して、風向Ｅの風速が小さい場合には、ノズル２３のＦ方向への傾き角度ｋを小さくする。
【００８３】
なお、このノズル２３による薬液の散布方向を変化させる過程で、検知した飛行高度に応じて異ならせるようにしてもよい。かかる場合には、飛行高度V〜Xに応じて最適な散布角度となるように設定を行う。このとき、拡散角度や散布量も一緒に調整するようにしてもよい。
【００８４】
また、ノズル２３による薬液の散布方向を変化させる場合は、風向や風速に基づく場合に限定されるものではない。例えば散布対象領域７１上のどの位置を飛行しているかをリアルタイムに検知した結果を利用し、散布方向を直接制御するようにしてもよい。例えば散布対象領域７１の端部近傍を飛行していることを識別した場合、薬液が散布対象領域７１外に逸脱しないようにするため、薬液の散布方向を内側に調整することをリアルタイムで実行するようにしてもよい。
【００８５】
また、本発明によれば、検知した風速、風向に基づいて飛行経路を制御するようにしてもよい。例えば薬液散布用無人航空機１を図１３に示す矢印の方向に飛行させる過程で、風向、風速を随時検知する。Ｇ地点において検知した風向、風速がともに０である場合には、飛行経路は特段の制御を行うことなく、同様に図中矢印の方向に向けて飛行をし続ける。ここでＨ地点において風向がＥ方向であり風速が２ｍ／ｓであることを判別した場合には、これに対抗するために、Ｅ方向と正反対方向であるＦ方向に向けて飛行方向を変更させるための制御を行う。図中の飛行方向の変更方向のベクトルの大きさは、Ｆ方向に向けた推進力の大きさに対応している。この推進力の大きさは、測定した風速に基づいてバランスが調整され、当初意図していた飛行経路上のＨ´を通過することとなる。同様にＩ地点において風向がＥ方向であり風速が５ｍ／ｓであることを判別した場合には、これに対抗するために、Ｅ方向と正反対方向であるＦ方向に向けて飛行方向を変更させ、そのＦ方向への推進力もこれに応じて大きく調整する。これにより当初意図していた飛行経路上のＩ´を通過することとなる。
【００８６】
その結果、薬液散布用無人航空機１は、飛行途中において突発的に大きな風が吹いた場合においても、この風向、風速をリアルタイムに検知し、これに応じて飛行方向を変更することにより、当初意図したとおりの図中点線矢印方向の経路を辿ることが可能となる。
【００８７】
なお、風速の上限値を予め設定しておき、測定した風速がその上限値を超えた場合には、薬液の散布を停止すると共にその場でホバリングするようにしてもよい。
【００８８】
この経路変更においては、更に図１４に示すように散布対象領域７１における薬液散布用無人航空機１の現在位置を参照するようにしてもよい。例えば取得した地図情報から、散布対象領域７１の端部が複雑な形状をしている場合においても、これに沿って薬液散布用無人航空機１の飛行経路を変更するようにしてもよい。かかる場合には、散布対象領域７１との関係において、薬液散布用無人航空機１がＪ地点に位置していることを識別した場合には、事前の地図情報から散布対象領域７１の端部が内側に入り込んでいることが分かっているため、これに沿って内側に飛行経路を変更する。そして、その散布対象領域７１の端部に沿って曲線を描くように飛行し、Ｋ地点まで到達したことを飛行制御センサ群５５を介して判別した場合には、再び矢印の方向に向けて直進するように制御する。
【００８９】
なお、上述した各制御では、飛行速度、飛行高度、風向、風速に対して、散布量、拡散角度、飛行経路、散布方向等をどの程度制御すれば最適になるかを事前の実験的検討やシミュレーションを通じてデータを取得しておき、その取得したデータを参照して実際の制御量を決定するようにしてもよい。
【００９０】
また、本発明は、飛行経路上を飛行する時における薬液散布用無人航空機１の機体の傾斜角度及び傾斜方向に基づいて風向及び風速を検知するようにしてもよい。傾斜角度、傾斜方向は、飛行制御センサ群５５におけるデジタル水準器等を利用する。
【００９１】
図１５（ａ）は、飛行方向Ｆｗに向けて飛行していた薬液散布用無人航空機１が飛行方向Ｆｗに向けて飛行する際において風向Ｗｄの風が吹いた状態を示す平面図である。このような風向Ｗｄの風を受けた薬液散布用無人航空機１は、当該風向Ｗｄに向けて図中下向きに傾くこととなる。飛行方向Ｆｗに対する風向Ｗｄの角度を角度θという。
【００９２】
図１５（ｂ）は、風向Ｗｄの延長線上Ｌｓの断面構成を示している。図１５（ｂ）では、薬液散布用無人航空機１における各構成要素のうち、簡単のため制御ユニット１５のみを代表して描いている。この制御ユニット１５は、通常は断面視で、実線で示すようにほぼ水平になるようにして飛行することとなるが、風向Ｗｄの風に対して、点線に示すように前かがみになるように傾くこととなる。風に対するこの前かがみになる傾き角を角度φという。風速が強いほど風向Ｗｄに対して薬液散布用無人航空機１は前傾姿勢となる。つまり角度φは風速に依存する。薬液散布用無人航空機１は、ホバリングしている場合において風向Ｗｄに対して前傾姿勢となって流されることを回避するが、この姿勢の変化を利用して逆に風向Ｗｄと風速を検知する。
【００９３】
つまり、平面視でどの方向に傾くかを識別することで角度θを判別することができ、この角度θから風向Ｗｄを判別することが可能となる。断面視での角度φを判別することで、風速を判別することが可能となる。
【００９４】
断面視での角度φに対する風速の対応関係を、薬液散布用無人航空機１の機種毎に予めシミュレーションや実験を通じて予め対応表等によりデータ化しておく。実際に薬液散布用無人航空機１を飛行させる段階において、この対応表を参照することで、検知した角度φから風速を判別するようにしてもよい。この角度θ、角度φの検知は、飛行制御センサ群５５を介して高精度に検出することができる。このため角度θ、角度φから、風向Ｗｄ、風速を高精度に検知することが可能となる。
【００９５】
特に薬液散布用無人航空機１は、ローター１１の回転により生成する風が複雑な気流と気圧変化をもたらしている場合が多い。しかしながら、角度θ、角度φを検知する上でこのような気流と気圧の影響は殆ど受けないため、より高精度な風向Ｗｄ、風速の測定を行うことが可能となる。
【符号の説明】
【００９６】
１  薬液散布用無人航空機
２  操縦端末
６  ユーザＩ／Ｆ
７  無線通信部
１１  ローター
１２  ローター用モーター
１３  モーターステイ
１４  バッテリー
１５  制御ユニット
１６  第１中央プレート
１７  第２中央プレート
１８  第３中央プレート
２０  据付器具
２１  右側ブーム
２２  左側ブーム
２３  ノズル
２４  薬液タンク
２６  脚部
２７  載置用アーム
２８  スキッド
３２  ホース
３５  薬液ポンプ
３５  薬液ポンプ
３６  薬液パイプ
５０  フライトコントローラ
５１  無線通信部
５２  電動ジンバル
５３  カメラ
５４  ＥＳＣ
５５  飛行制御センサ群
５６  ＧＮＳＳ受信部
５７  制御部
７１  散布対象領域
７２  端部
１１２  メモリ
１１３  ＰＷＭコントローラ
【図１】
2017206066.tif 000003
【図２】
2017206066.tif 000004
【図３】
2017206066.tif 000005
【図４】
2017206066.tif 000006
【図５】
2017206066.tif 000007
【図６】
2017206066.tif 000008
【図７】
2017206066.tif 000009
【図８】
2017206066.tif 000010
【図９】
2017206066.tif 000011
【図１０】
2017206066.tif 000012
【図１１】
2017206066.tif 000013
【図１２】
2017206066.tif 000014
【図１３】
2017206066.tif 000015
【図１４】
2017206066.tif 000016
【図１５】
2017206066.tif 000017